(57)【要約】【課題】１つのルアーでありながら、２つの異なるアクションを表現することが可能で、集魚効果とヒット率に優れたルアーを提供するものである。【解決手段】１つのルアー本体１でありながら、ラインＬとフックＦの位置を互換することで、ルアー本体１の遊動姿勢が変わり、２つの異なるアクションを演出することができることを特徴とするルアー。【選択図】図１
2016150003.tif 000002
【特許請求の範囲】
【請求項１】
幅広で肉厚に成形されており全体に対して重心を偏倚させている水受け部（４）を有する湾曲したルアー本体（１）であって、ライン（Ｌ）とフック（Ｆ）の位置を釣り場や天候等の状況によって互換することが可能な連結部（３ａ）と連結部（３ｂ）を、それぞれルアー本体（１）の凸面（６）と凹面（７）に設置したことを特徴とする２つのアクションが可能なルアー。
【発明の詳細な説明】
【技術分野】
【０００１】  本発明は、ルアーフィッシングに使用するルアーに関するものである。
【背景技術】
【０００２】  従来、ルアーフィッシングで使用するルアーの動きは、ルアーそれぞれ固有の１種類のアクションしか成し得なかった。
【発明の概要】
【発明が解決しようとする課題】
【０００３】  ルアーの動きは、それぞれ固有の動きがあり、動きを変更させようとした場合には、リールでラインを巻くスピードを変えたり、ロッド操作を変えたりする方法もあるが、大きく変更することは出来なかった。
本発明は、以上の問題点を解決するためになされたものである。
【課題を解決するための手段】
【０００４】  ルアー本体（１）を水流に対して抵抗を受けるように湾曲させ、一辺にスプリットリング（２ａ）を介してライン（Ｌ）を繋ぐ連結部（３ａ）を有し、もう一辺にスプリットリング（２ｂ）を介してフック（Ｆ）を繋ぐ連結部（３ｂ）を有するルアー。【０００５】  このライン（Ｌ）を繋ぐ連結部（３ａ）とフック（Ｆ）を繋ぐ連結部（３ｂ）には、互換性があり、連結部（３ａ）がフック（Ｆ）を繋ぎ、連結部（３ｂ）がライン（Ｌ）を繋ぐことができることを特徴とする。【０００６】  この連結部（３ａ）と連結部（３ｂ）は、ルアー本体（１）に対して、それぞれ上下一辺に設置されていることを特徴とする。【０００７】  ルアー本体（１）の一端の水受け部（４）は、もう一端に対して表面積を大きくしており、全体に対して比重も大きくなっていることを特徴とする。
【発明の効果】
【０００８】  従来のルアーは、其々、ルアー本体（１）を左右に反転するローリングアクション。また、ルアー本体（１）を上方から見た際に、お尻を振るような動きを見せるウォブリングアクション。さらに、前記のローリングアクションとウォブリングアクションを混在させた、ウォブンロールアクションと呼ばれる動きなど、何れかの傾向に特化させていた。
本発明のルアーは、連結部（３ａ）にライン（Ｌ）を繋ぎ、連結部（３ｂ）にフック（Ｆ）を繋いだ場合には、左右にお尻を揺動するウォブリングアクションを示し、連結部（３ｂ）にライン（Ｌ）を繋ぎ、連結部（３ａ）フック（Ｆ）を繋いだ場合には、左右に反転するローリングアクションを示します。このように１種のルアーでありながら、２種類の使い方ができるという汎用性があります。
ライン（Ｌ）とフック（Ｆ）の位置を変更することによって、１つのルアーで全く異なる２つのアクションを形成することができ、これにより、魚への誘因効果が幅広く、魚を飽きさせずに、継続的な集魚とヒットが可能となります。【０００９】  図７に示すように、スプリットリング（２ａ）にライン（Ｌ）を結合して、スプリットリング（２ｂ）にフック（Ｆ）を結合した場合、ルアー本体（１）の水受け部（４）に当った水流は、左右に逃げようとして、連結部（３ａ）を軸として左右にお尻を振るような動きを見せるウォブリングアクションの動きを見せます。水受け部（４）は、ルアー本体（１）に対して比重が大きいので、重力により常に下方に留まる働きをして、ルアー本体（１）が回転するギリギリ寸前でアクションが復元され、ルアー本体（１）は、回転することなく、最大限のウォブリングアクションを実現します。【００１０】  図８に示すように、スプリットリング（２ｂ）にライン（Ｌ）を結合して、スプリットリング（２ａ）にフック（Ｆ）を結合した場合、ルアー本体（１）の水受け部（４）に当った水流は、左右に逃げようとして、連結部（３ｂ）を軸として左右に反転するローリングアクションの動きを見せます。ライン（Ｌ）によって牽引される連結部（３ｂ）は、ルアー本体（１）に対して、上方に設置されているため、ライン（Ｌ）の引き抵抗によって、連結部（３ｂ）が常に上方に留まる働きをして、ルアー本体（１）が回転するギリギリ寸前でアクションが復元され、ルアー本体（１）は、回転することなく、最大限のローリングアクションを実現します。【００１１】  さらに、フック（Ｆ）の位置は、図１、図２の共に示すように、ルアー本体（１）の末端には設置されていないので、ウォブリングアクション中や、ローリングアクション中にフック（Ｆ）が左右に大きく暴れることが少なくなり、高いヒット率となります。
【図面の簡単な説明】
【００１２】
【図１】本発明の斜視図
【図２】本発明の使用方法を変更した場合の斜視図
【図３】図１の平面図
【図４】図１の側面図
【図５】図２の平面図
【図６】図２の側面図
【図７】図１の動作図
【図８】図２の動作図
【発明を実施するための形態】
【００１３】  以下、本発明の実施の形態を説明する。
（イ）図１に示すように、縦長に形成されたルアー本体（１）は、長手方向に沿って水受      け部（４）が水流に対する抵抗面となるように傾斜しており、前記ルアー本体（１      ）の中間部（５）は、凸面（６）側へ弧線状に隆起していることを特徴としている      。
（ロ）ルアー本体（１）の長手方向一端に位置する水受け部（４）は、長手方向のもう一      端に対して幅広で肉厚に成形されており、ルアー本体（１）において、水受け部（      ４）側に重量を持たせることで、重心を偏倚させていることを特徴とする。
（ハ）連結部（３ａ）は、ルアー本体（１）の凸面（６）側の弧線状に隆起した中間部（      ５）より、わずかに長手方向の幅広な一端方向に垂直に固定されている。この連結      部（３ａ）の設置場所により、図１に示す使用方法の場合、重心を有した水受け部      （４）が常に下方へ留まる作用させ、ルアー本体（１）が回転するギリギリ寸前で      アクションが復元され、最大限のウォブリングアクションを実現する。
（ニ）連結部（３ｂ）は、ルアー本体（１）の凹面（７）側の長手方向の幅狭な一端側に      垂直に固定されている。この連結部（３ｂ）の設置場所により、図２に示す使用方      法の場合、ルアー本体（１）に対して常に上方に連結部（３ｂ）が留まるので、ル      アー本体（１）が回転するギリギリ寸前でアクションが復元され、最大点のローリ      ングアクションを実現する。
（ホ）このスプリットリング（２ａ）を介してライン（Ｌ）を繋ぐ連結部（３ａ）とスプ      リットリング（２ｂ）を介してフック（Ｆ）を繋ぐ連結部（３ｂ）には、互換性が      あり、連結部（３ａ）がスプリットリング（２ａ）を介してフック（Ｆ）を繋ぎ、      連結部（３ｂ）がスプリットリング（２ｂ）を介してライン（Ｌ）を繋いで使用で      きることを特徴とする。
（ヘ）前記スプリットリング（２ａ）とスプリットリング（２ｂ）は、ルアー本体（１）      にフック（Ｆ）やライン（Ｌ）を付ける際に使う主に２重リングの接続具であり、      プライヤー等を使用すると簡単にフック（Ｆ）の取り外しが可能である。
本発明は以上のような構造である。
【００１４】  本発明を使用するときは、図１に示すように、スプリットリング（２ａ）を介してライン（Ｌ）を連結部（３ａ）に繋ぎ、キャスティングして、リールでライン（Ｌ）を巻きます。すると、水受け部（４）に当った水流は、左右に逃げるように流れ、ルアー本体（１）は、連結部（３ａ）を軸として、尾を振るようにウォブリングアクションをします。水受け部（４）は、比重が大きいので、重力により常に下方に留まる作用をして、ルアー本体（１）が回転するギリギリ寸前でアクションが復元され、バランスを崩すことなく、ルアー本体（１）は、最大限のウォブリングアクションを実現して、魚に対して大きくアピールします。
【００１５】  さらに、ライン（Ｌ）の位置をスプリットリング（２ａ）からスプリットリング（２ｂ）に付け替え、それに合わせて、フック（Ｆ）を結合していたスプリットリング（２ｂ）をスプリットリング（２ａ）に変更することにより、ルアーのスイミング時の姿勢が、図１に示したルアーの姿勢から、図２に示すルアーの姿勢へと変更されます。
これにより、図２に示すように、水受け部（４）は、ルアーの長手方向前部からルアーの長手方向後部へと変わり、キャスティングして、リールでライン（Ｌ）を巻くと、水受け部（４）に当った水流は、左右に逃げようとして、連結部（３ｂ）を軸として左右に反転するローリングアクションの動きを見せます。連結部（３ｂ）が、ルアー本体（１）に対して、上方に設置されているため、ライン（Ｌ）の引き抵抗によって、常に上方に留まる作用をして、ルアー本体（１）が回転するギリギリ寸前でアクションが復元され、バランスを崩すことなく、ルアー本体（１）は、最大限のローリングアクションを実現して、魚に対して大きくアピールします。
【００１６】  このように、フック（Ｆ）とライン（Ｌ）の接続箇所を変更することにより、１つのルアーでありなら、ウォブリングアクションとローリングアクションの全く異なる動きを見せることが可能となり、様々な状況に応じて対応ができ、魚を飽きさせることなく、釣果の大幅な向上を継続的に図ることが可能となります。
また、フック（Ｆ）の位置は、図１、図２、共に示すように、一般的な金属製のスプーン型ルアーのように、ルアーの長手方向の末端の貫通孔にスプリットリングを介して設置されておらず、ルアー本体（１）の末端から中央よりに配置されているので、ルアー本体（１）のアクション中にフック（Ｆ）が左右に大きく暴れることが少なく、魚がフック（Ｆ）に掛ることを邪魔しないので、高いヒット率となります。
【符号の説明】
【００１７】１ルアー本体、２（ａ〜ｂ）スプリットリング、３連結部（ａ〜ｂ）、４水受け部
５中間部、６凸面、７凹面、Ｌライン、Ｆフック
【図１】
2016150003.tif 000003
【図２】
2016150003.tif 000004
【図３】
2016150003.tif 000005
【図４】
2016150003.tif 000006
【図５】
2016150003.tif 000007
【図６】
2016150003.tif 000008
【図７】
2016150003.tif 000009
【図８】
2016150003.tif 000010